(57)【要約】【課題】  常時リラックスした状態で使用でき、背凭れ部のリクライニング角度に応じた適正な位置で手部または腕部等の被施療部位に適格な施療を施すことができるマッサージ椅子を提供する。【解決手段】  座部１１ａ後部で起倒自在に設けられた背凭れ部１２ａを有するマッサージ椅子１ａであり、座部１１ａ両側の各肘掛部５ａを、下部の起立壁５０１ａと、該起立壁５０１ａ上部位置で、人体の手部または腕部を載置装入し得る凹部５２ａと膨縮袋４ａが配設してある腕揉み機構５１ａを配備した可動肘掛部５０２ａとに分割し、これら起立壁５０１ａ上前部と可動肘掛部５０２ａの下前部間に摺動体７ａを介設すると共に該可動肘掛部５０２ａ後部と背凭れ部１２ａ側部を枢着して可動肘掛部５０２ａを揺動可能に構成し、背凭れ部１２ａの起倒動作に両肘掛部５ａの各可動肘掛部５０２ａが追従するようにした。【選択図】  図１
2008188055.tif 000002
【特許請求の範囲】
【請求項１】
座部の後部に起立状態から倒伏状態へ起倒自在に設けられた背凭れ部を配備すると共に、該座部の左右両側部には各々肘掛部を配設したマッサージ椅子であって、前記各肘掛部は、下部の起立壁と、該起立壁の上部位置に配備され、人体の手部または腕部を載置装入し得る凹部が形成されていると共に該凹部内に手部または腕部を施療し得る膨縮袋が配設してある腕揉み機構を配備した可動肘掛部に分割されており、これら起立壁上前部と可動肘掛部下前部間に摺動体を介設すると共に該可動肘掛部後部と背凭れ部側部を枢着して可動肘掛部を揺動可能にし、背凭れ部の起倒動作に従って両肘掛部の各可動肘掛部が追従し得るよう構成した事を特徴するマッサージ椅子。
【請求項２】
前記可動肘掛部後部と背凭れ部側部との枢着位置は、背凭れ部のリクライニング回動軸よりも上位置であることを特徴する請求項１記載のマッサージ椅子。
【請求項３】
前記可動肘掛部の後部における背凭れ部側部との枢着位置に、可動肘掛部位置を前後に位置調節し得るスライド機構が設けてあることを特徴する請求項１又は請求項２記載のマッサージ椅子。
【請求項４】
前記背凭れ部側部における可動肘掛部の後部との枢着位置に、可動肘掛部後部位置を上下に位置調節し得るスライド機構が設けてあることを特徴する請求項１乃至請求項３のいずれかに記載のマッサージ椅子。
【請求項５】
前記摺動体又は前記スライド機構に、可動肘掛部の位置を固定し得る固定手段が設けられていることを特徴する請求項１、請求項３又は請求項４のいずれかに記載のマッサージ椅子。
【請求項６】
人体の手部または腕部を載置し得る前記可動肘掛部の上面は、前記腕揉み機構の凹部底面を兼用するものであることを特徴する請求項１記載のマッサージ椅子。
【発明の詳細な説明】
【技術分野】
【０００１】
本発明は、使用者の手部または腕部を載置して該手部または腕部に適度な施療を行い得るようにした肘掛部を椅子本体に設けたマッサージ椅子であって、詳しくは、該肘掛部に腕揉み機構を備えると共に、背凭れ部のリクライニング角度に応じた適正な位置で使用者の手部または腕部に対して施療を施すことが可能なマッサージ椅子に関するものである。
【背景技術】
【０００２】
従来から、椅子に座した状態でマッサージ効果が得られるマッサージ椅子が知られている。この種のマッサージ椅子としては、椅子本体の背凭れ部に内蔵してあるマッサージ機構により使用者の背部に対して揉みや叩き等のマッサージを行うものが代表的であるが、近年はこのようなマッサージ椅子の左右に配した肘掛部において、使用者の手部または腕部をマッサージし得る腕揉み機構を備えたものが市場でもよく見られるようになった。
【０００３】
例えば、椅子本体の左右の肘掛部に腕揉み機構を備えたマッサージ椅子としては、図４０に示したようなマッサージ椅子（特許文献１）が開示されており、このマッサージ椅子は、肘幅方向一側に弧状形成された立上り壁２１１を設けた肘掛部２１を両側に設けた椅子本体２の上面適所に人体手部を各々載脱自在で該人体手部に膨縮施療を付与し得る圧縮空気給排気手段（膨縮袋１２と、各膨縮袋１２・１２に各々ホース１３・１３を介して連通される圧縮空気給排装置１４）を配設しており、施療者が着座状態で人体手部を両肘掛部２１・２１上面に安定的に保持させて、人体手部及び腕部の上側面から効率良く空圧施療することができるよう構成したものである。
【特許文献１】特開２００３−１８０７７４号公報（第６頁、図１０）
【発明の開示】
【発明が解決しようとする課題】
【０００４】
しかし、この種従来例のマッサージ椅子は、背凭れ部を後方へリクライニングさせる場合、肘掛部に載置していた手部または腕部を該肘掛部の後方へ移動せざるを得なくなるため、肘掛部に備えた腕揉み機構における施療適正位置から手部または腕部がずれてしまい、背凭れ部をリクライニングさせた椅子本体に仰臥した姿勢では、手部または腕部に対する適正な施療が行えないという問題があった。
【０００５】
また、従来例のマッサージ椅子は、肘掛部の高さが背凭れ部のリクライニングに関係なく固定されたものであるため、手部または腕部を肘掛部に載置したまま背凭れ部をリクライニングさせると、仰臥した胴体に対して手部または腕部が高く上がってしまい、使用者は窮屈な姿勢で手部または腕部に対する施療を受けざるを得ず、該姿勢での施療では、かえって疲労感をもたらすという課題もあった。
【０００６】
そこで本発明は、上記問題点を解消する為に成されたものであり、使用者が常時リラックスした状態で使用でき、しかも背凭れ部のリクライニング角度に応じた適正な位置で手部または腕部等の被施療部位に適格な施療を施すことができるようにしたマッサージ椅子を提供することを目的とするものである。
【課題を解決するための手段】
【０００７】
すなわち、本発明のマッサージ椅子は、座部の後部に起立状態から倒伏状態へ起倒自在に設けられた背凭れ部を配備すると共に、該座部の左右両側部には各々肘掛部を配設したマッサージ椅子であって、前記各肘掛部は、下部の起立壁と、該起立壁の上部位置に配備され、人体の手部または腕部を載置装入し得る凹部が形成されていると共に該凹部内に手部または腕部を施療し得る膨縮袋が配設してある腕揉み機構を配備した可動肘掛部に分割されており、これら起立壁上前部と可動肘掛部下前部間に摺動体を介設すると共に該可動肘掛部後部と背凭れ部側部を枢着して可動肘掛部を移動可能または揺動可能にし、背凭れ部の起倒動作に従って両肘掛部の各可動肘掛部が追従し得るようにしたものとしている。
【０００８】
また、本発明のマッサージ椅子は、前記可動肘掛部後部と背凭れ部側部との枢着位置は、背凭れ部のリクライニング回動軸よりも上位置である構成にしたものとしている。
【０００９】
さらに、本発明のマッサージ椅子は、前記可動肘掛部の後部における背凭れ部側部との枢着位置に、可動肘掛部位置を前後に位置調節し得るスライド機構が設けてあるものとしている。
【００１０】
また、本発明のマッサージ椅子は、前記背凭れ部側部における可動肘掛部の後部との枢着位置に、可動肘掛部後部位置を上下に位置調節し得るスライド機構が設けてあるものとしている。
【００１１】
さらに、本発明のマッサージ椅子は、前記摺動体又は前記スライド機構に、可動肘掛部の位置を固定し得るロック機構等の固定手段が設けてあるものとしている。
【００１２】
さらにまた、本発明のマッサージ椅子は、人体の手部または腕部を載置し得る前記可動肘掛部の上面は、前記腕揉み機構の凹部底面を兼用するものであるものとしている。
【発明の効果】
【００１３】
よって、本発明のマッサージ椅子は、座部の後部に起立状態から倒伏状態へ起倒自在に設けられた背凭れ部を配備すると共に、該座部の左右両側部には各々肘掛部を配設したマッサージ椅子における前記各肘掛部を、下部の起立壁と、該起立壁の上部位置に配備され、人体の手部または腕部を載置装入し得る凹部が形成されていると共に該凹部内に手部または腕部を施療し得る膨縮袋が配設してある腕揉み機構を配備した可動肘掛部に分割されており、これら起立壁上前部と可動肘掛部下前部間に摺動体を介設すると共に該可動肘掛部後部と背凭れ部側部を枢着して可動肘掛部を移動可能または揺動可能にし、背凭れ部の起倒動作に従って両肘掛部の各可動肘掛部が追従し得るようにした構成にしてあるため、前記腕揉み機構は可動肘掛部と共に背凭れ部の起倒動作に追従して後方且つ下方に移動するので、従来のような背凭れ部の起倒動作による手部または腕部のずれが生ずることがなく、常時、背凭れ部の起倒動作に追従対応させた腕揉み機構における施療適正位置を確保することができ、また、倒伏状態の背凭れ部に仰臥した使用者の胴体に対しても、従来のような手部または腕部が高くなって使用者が窮屈な姿勢を強いられることもなく、手部または腕部を安定した適性位置を確保することができる。その結果、使用者は常時リラックスした状態の中で背凭れ部の起倒角度に応じた適正な位置で手部または腕部に対する心地良い施療に専念することができるものとなる。また、起立壁上前部と可動肘掛部下前部間に摺動体を介設することによって、可動肘掛部の静止及び移動時のがたつきを可及的に抑制する作用があり、使用者に不必要な不快感を与えることなく、手部または腕部を可動肘掛部上に安定載置することができる。
【００１４】
また、本発明のマッサージ椅子は、前記可動肘掛部後部と背凭れ部側部との枢着位置を背凭れ部のリクライニング回動軸とは別位置であり、リクライニング回動軸よりも上位置になるようにしてあるため、背凭れ部の起倒動作に影響することがなく肘掛部を構成する起立壁上部の可動肘掛部を移動可能または揺動可能に取り付けでき、マッサージ椅子の組立て作業が容易にできるものとなる。
【００１５】
さらに、本発明のマッサージ椅子は、前記可動肘掛部の後部における背凭れ部側部との枢着位置に、可動肘掛部位置を前後に位置調節し得るスライド機構が設けてあるため、使用者の好みや要望する施療位置に応じて可動肘掛部位置を前後に移動させて、腕揉み機構が手部または腕部の被施療部対応位置になるように位置や角度を調節することができる。
【００１６】
また、本発明のマッサージ椅子は、前記背凭れ部側部における可動肘掛部の後部との枢着位置に、可動肘掛部後部位置を上下に位置調節し得るスライド機構が設けてあるものとしているため、背凭れ部が起立した状態の場合は、使用者の好みや要望する施療位置に応じて可動肘掛部位置後部を上下に移動させて、腕揉み機構が手部または腕部の被施療部対応位置になるように位置や角度を調節することができ、また、背凭れ部が倒伏した状態の場合には、使用者の好みや要望する施療位置に応じて可動肘掛部位置を前後に移動させて、腕揉み機構が手部または腕部の被施療部対応位置になるように位置や角度を調節することができる。
【００１７】
さらに、本発明のマッサージ椅子が、上記した可動肘掛部位置を前後に位置調節し得るスライド機構や、前記した上下に位置調節し得るスライド機構の双方が設けてあるものとした場合には、上記と同様な調節により、使用者の身長や座高に応じた手部または腕部の位置調節ができるものとなる。
【００１８】
また、本発明のマッサージ椅子は、人体の手部または腕部を載置し得る前記可動肘掛部の上面は、前記腕揉み機構の凹部底面を兼用するものであるものとしているため、可動肘掛部の腕揉み機構による施療を行わずに通常の肘掛けとして使用する場合でも、通常の肘掛けとして安定した姿勢で使用者が手部または腕部を載置でき、また、可動肘掛部の腕揉み機構による施療を施したい場合には、人体の手部または腕部を可動肘掛部に載置した状態のままで、その位置を変える必要なく施療を開始することができ、常時、背凭れ部の起倒動作に追従対応させた適正な位置で施療が継続できるものとなる。
【００１９】
さらに、本発明のマッサージ椅子は、前記摺動体又は前記スライド機構に、可動肘掛部の位置を固定し得るロック機構等の固定手段が設けてあるものとしているため、使用者によって位置調節された可動肘掛部が背凭れ部の起倒動作に影響されて不意に位置ずれを生じさせてしまうことはなく、背凭れ部の起倒角度に関わらず、常時使用者が好む位置で腕揉み機構による施療が行える。
【００２０】
さらにまた、本発明のマッサージ椅子は、前記のように可動肘掛部の上面と腕揉み機構の凹部底面を兼用するものにしたことによって、腕揉み機構の製造時における原価や組立てコストも軽減できるものとなり、また、優れた美観を有するものとなる。
【発明を実施するための最良の形態】
【００２１】
以下に、本発明のマッサージ椅子を、図面に示す一実施形態に基づきこれを詳細に説明する。図１は本発明のマッサージ椅子の一実施形態を示す斜視図であり、図２は本発明のマッサージ椅子の一実施形態を示す使用状態図である。また、図３は本発明のマッサージ椅子における背凭れ部と脚載部及び肘掛部の各動作に関する一実施形態を示す使用状態の右側面参考図であり、図４は本発明のマッサージ椅子の背凭れ部を後方へ倒伏させた一実施形態を示す使用状態の右側面参考図であり、図５は本発明のマッサージ椅子の肘掛部にスライド機構を備えた一実施形態を示す右側面参考図である。図６は本発明のマッサージ椅子における肘掛部のスライド機構による腕揉み機構の前後スライド動作に関する一実施形態を示す使用状態の右側面参考図であり、図７は本発明のマッサージ椅子の背凭れ部にスライド機構を備えた一実施形態を示す右側面参考図であり、図８は本発明のマッサージ椅子における背凭れ部のスライド機構による腕揉み機構の上下スライド動作に関する一実施形態を示す使用状態の右側面参考図であり、図９は本発明のマッサージ椅子の背凭れ部を倒伏させた状態での腕揉み機構のスライド動作に関する一実施形態を示す使用状態の右側面参考図であり、図１０は本発明のマッサージ椅子の腕揉み機構における手部から上腕までの施療範囲に関する一実施形態を示す使用状態の右側面参考図であり、図１１は本発明のマッサージ椅子における起立壁に設けたガイドレールを長く形成した一実施形態を示す使用状態の右側面参考図である。また図１２は本発明のマッサージ椅子における背凭れ部と肘掛部の各動作に関する一実施形態を示す右側面参考部分図であり、図１３は本発明のマッサージ椅子における肘掛部の動作に関する一実施形態を示す右側面参考部分図である。図１４は本発明のマッサージ椅子に挟み込み防止部材を設けた一実施形態を示す右側面参考部分図であり、図１５乃至図１７は本発明のマッサージ椅子に挟み込み防止部材を設けた一実施形態を示す正面参考部分図である。図１８は本発明のマッサージ椅子のガイドレール内部における摺動体を球形状とした一実施形態を示す右側面部分断面参考図であり、図１９は本発明のマッサージ椅子のガイドレール内部における摺動体を半円筒形状とした一実施形態を示す正面部分断面参考図であり、図２０及び図２１は本発明のマッサージ椅子のガイドレール内部における摺動体を半円筒形状とした一実施形態を示す右側面部分断面参考図であり、図２２は本発明のマッサージ椅子のガイドレール内部における摺動体の付勢させた摺擦部材を採用した一実施形態を示す正面部分断面参考図であり、図２３は本発明のマッサージ椅子のガイドレール内部における摺動体の付勢させた摺擦部材を採用した一実施形態を示す右側面部分断面参考図である。図２４乃至図２７は本発明のマッサージ椅子における肘掛部のスライド機構に固定手段を設けた一実施形態を示す右側面参考部分図であり、図２８は本発明のマッサージ椅子における背凭れ部のスライド機構に固定手段を設けた一実施形態を示す右側面参考部分図である。図２９は本発明のマッサージ椅子のガイドレール内部における摺動体に設けた一つの摺擦部材を回転輪に置換した一実施形態を示す正面部分断面参考図であり、図３０乃至図３２は本発明のマッサージ椅子のガイドレール内部における摺動体に設けた一つの摺擦部材を回転輪に置換した一実施形態を示す右側面部分断面参考図であり、図３３は本発明のマッサージ椅子のガイドレール内部における摺動体に設けた摺擦部材と回転輪とを夫々上側と下側に配設した構成の一実施形態を示す正面部分断面参考図であり、図３４及び図３５は本発明のマッサージ椅子のガイドレール内部における摺動体に設けた摺擦部材と回転輪とを夫々上側と下側に配設した構成の一実施形態を示す右側面部分断面参考図であり、図３６は本発明のマッサージ椅子のガイドレール内部における摺動体に固定手段（ロック機構）を設けた一実施形態を示す正面部分断面参考図であり、図３７及び図３８は本発明のマッサージ椅子のガイドレール内部における摺動体に固定手段（ロック機構）を設けた一実施形態を示す右側面部分断面参考図であり、図３９は本発明のマッサージ椅子の摺動体に設けた固定手段（ロック機構）をロックまたはロック解除するために可動肘掛部に操作レバーを設けた一実施形態を示す右側面参考部分図である。さらに図４０は従来技術を示す参考図である。
【００２２】
本発明のマッサージ椅子１ａは、図１乃至図３の実施形態で示したように、使用者の臀部が当接する座部１１ａと、該座部１１ａの後部で起立状態から倒伏状態へ起倒自在に配設された背凭れ部１２ａを配備すると共に、該座部１１ａの左右両側部には各々肘掛部５ａを配設している。
【００２３】
すなわち、このマッサージ椅子１ａは、座部１１ａの下部または側部には、フレームからなる基体５６ａが設けられており、該基体５６ａの後部に背凭れ部１２ａが起倒可能に取り付けられているものであり、前記肘掛部５ａが、この基体５６ａの左右両側部に各々設けられて椅子本体１０ａを構成したものを例示している。
【００２４】
また、詳細は後述するが、前記各肘掛部５ａ・５ａは、下部の起立壁５０１ａと、該起立壁５０１ａの上部位置に配備されてこの上面５０３ａに人体の手部または腕部等の被施療部を載置し得る可動肘掛部５０２ａとに分割されており、該可動肘掛部５０２ａには、前記被施療部を載置装入し得る凹部５２ａが形成されていると共に、該凹部５２ａ内に被施療部を施療し得る膨縮袋４ａを配設した腕揉み機構５１ａが設けられている。
【００２５】
さらに、前記椅子本体１０ａの前部において、前記座部１１ａの下方位置から上下方向に回動移行する脚載部１３ａを備えている。
【００２６】
また、前記背凭れ部１２ａには、左右両側に前方に向かって突出した側壁部２ａを夫々配設している。
【００２７】
図１に示すように、前記背凭れ部１２ａには、その中央部に左右一対の施療子３１ａを備えた昇降自在の施療子機構部３ａを設けている。該施療子機構部３ａは、背凭れ部１２ａの内部左右に設けた左右一対のガイドレール３２ａに沿って背凭れ部１２ａの上端から下端にかけて昇降するようにしている。
【００２８】
前記左右一対の施療子３１ａは、モータ等を駆動源とした機械式のマッサージ機構であり、前記背凭れ部１２ａに凭れた使用者の首部、背部、腰部、臀部等の背面全域を、たたき、揉み、ローリング、振動、指圧などの多様な形態で施療するようにしたものである。
【００２９】
また、前記マッサージ椅子１ａの各所定の位置には、空気の給排気により膨縮を繰り返すことが可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａは椅子本体１０ａの内部適所に配備している。
【００３０】
前記空気給排装置４１ａによる前記各膨縮袋４ａ・・の膨縮動作によって、使用者の所定の被施療部位を押圧、指圧等を実施することができ、一定間隔を存して対向するよう複数の膨縮袋４ａ・・を対設させた場合には、被施療部位に挟圧等の施療も行うことができる。
【００３１】
また、前記空気給排装置４１ａによる前記各膨縮袋４ａ・・の少なくとも１以上の膨縮袋４ａを膨張状態に保つようにした場合は、使用者の所定の被施療部位を一定の時間保持することも可能にすることができる。
【００３２】
また、前記マッサージ椅子１ａは、前記背凭れ部１２ａの左右側において、上部及び下部に夫々膨縮袋４ａを設けており、使用者の背中及び腰部を押圧、または左右両側から挟圧するような施療を行うよう構成している。
【００３３】
また、前記座部１１ａには、後部側に臀下部用、また腿部用の膨縮袋４ａを夫々埋設して、主に下方から上方に押圧する施療を行うようにしている。
【００３４】
前記脚載部１３ａは、人体の脚部を施療するための施療機構を備えている。すなわち、該脚載部１３ａに人体脚部の脛部または足先部を夫々嵌入させる左右一対の凹部を夫々形成し、各凹部に膨縮袋４ａを左右一対として対設するよう設けて、凹部内部で脛部及び足先部に対する挟圧施療を実施するようにしている。尚、適宜各凹部底部にも膨縮袋４ａを設けることができる。
【００３５】
また前記脚載部１３ａは、脛施療部１３１ａと足先施療部１３２ａとに分割形成したものとして構成しており、人体の脛部と足先部とを個別に施療することができるようにしている。
【００３６】
前記左右の側壁部２ａは、座部１１ａに着座した使用者の肩または上腕側方となる位置に配設しており、該左右の側壁部２ａの内側面には夫々左右方向に重合した膨縮袋４ａを並列状態に埋設している。これら重合した膨縮袋４ａはその基端部のみを側壁部２ａの基端部に取り付けているため、膨張時には重合した膨縮袋４ａが扇状に広がって使用者の身体側部を挟圧しつつ、身体前方まで覆うようになる。
【００３７】
よって、前記左右側壁部２ａの前記膨縮袋４ａは、膨縮動作により身体側部を施療することができるだけでなく、一定の時間において膨張状態を保つならば、使用者の身体が前記背凭れ部１２ａから離れないようにしっかりと保持することができ、使用者の身体を固定したままの状態で前記施療子３１ａによる背部からの施療を効果的に受けることが可能となるのである。
【００３８】
前記各肘掛部５ａは、前述したように下部の起立壁５０１ａと、該起立壁５０１ａの上部位置に配備され、人体の手部または腕部を載置装入し得る凹部５２ａが形成されていると共に該凹部５２ａ内に手部または腕部を施療し得る膨縮袋４ａが配設してある腕揉み機構５１ａを配備した可動肘掛部５０２ａに分割されて構成するものであるが、これら起立壁５０１ａの上前部と可動肘掛部５０２ａの下前部間に摺動体７ａを介設すると共に該可動肘掛部５０２ａの後部と背凭れ部１２ａの側部を枢着して可動肘掛部５０２ａを移動可能または揺動可能にし、背凭れ部１２ａの起倒動作に従って両肘掛部５ａの各可動肘掛部５ａが追従し得るようにしたものとしている。
【００３９】
前記摺動体７ａは、図１２及び図１８に示すように、前記起立壁５０１ａの上面部に前後方向に設けたガイドレール５４ａに沿って摺動するよう構成している。
【００４０】
すなわち、該摺動体７ａは、前記可動肘掛部５０２ａの前側下部から垂下固設させた垂下フレーム５３ａの下端部に、回動部７３ａを介して回動可能に連結するフレーム７１ａと、該フレーム７１ａの適所に適数個設けられた摺擦部材７２ａとから構成しており、各摺擦部材７２ａは、ガイドレール５４ａの内部に設けた摺擦面５４１ａに当接している。
【００４１】
前記ガイドレール５４ａは、上面に開口部５４２ａを設けた角形空洞状のフレームで構成すると共に、該開口部５４２ａに前記垂下フレーム５３ａを貫通させて構成することができる。
【００４２】
図１８の実施例では、前記ガイドレール５４ａの前記摺擦面５４１ａを、該ガイドレール５４ａの内部空洞における内面のうち上面及び下面に夫々設けると共に、前記摺擦部材７２ａがそれら上面及び下面を摺擦するよう、該摺擦部材７２ａを前記摺動体７ａにおける前記フレーム７１ａの上下両側に設けて構成するものを示している。
【００４３】
よって、前記可動肘掛部５０２ａが前記起立壁５０１ａ上を前後に移動する時、図１８に示すように前記各摺擦部材７２ａは、前記ガイドレール５４ａの前記各摺擦面５４１ａを摺擦しながらガイドレール５４ａに沿って滑らかに移動するので、  起立壁５０１ａに対する可動肘掛部５０２ａの移動もスムーズに行える。
【００４４】
前記垂下フレーム５３ａの下端部に設けた前記回動部７３ａは、図１８に示すように前記可動肘掛部５０２ａが前記起立壁５０１ａ上を前後に移動することに伴い、前記垂下フレーム５３ａの前記ガイドレール５４ａに対する角度が変化する現象に対応するために設けられている。
【００４５】
前記摺擦部材７２ａ及び前記ガイドレール５４ａの前記摺擦面５４１ａは、耐摩耗性のある金属や樹脂などで夫々形成することができる。また、該摺擦部材７２ａの形状として、図１８に示すものは、球形状のものであるが、これに限らず円筒形状なども適用できる。さらに摺擦部材７２ａとしてＯリングを採用するなどしてもよい。
【００４６】
さらに、前記フレーム７１ａに前記摺擦部材７２ａを取り付けるための嵌合溝７２４ａを形成した摺擦部材受部７２３ａを設けることができる。該摺擦部材受部７２３ａを、摺擦部材７２ａより可撓性のある材質で形成することにより、摺擦部材７２ａを容易に嵌合させられると共に容易に離脱しないようにすることができる。このような摺動体７ａの構成の場合、部品数は少なく、組立やメンテナンスが容易となる。
【００４７】
加えて、前記摺擦部材７２ａが可撓性のある前記摺擦部材受部７２３ａに対して、前記ガイドレール５４ａ内で常時付勢した状態を保持するよう構成することにより、摺擦部材７２ａやガイドレール５４ａの前記摺擦面５４１ａにおける摩耗によるがたつきを防止することができる。例えば、前記フレーム７１ａを挟んで上下に設けた各摺擦部材７２ａ間における最大上下幅が、ガイドレール５４ａの内部空洞における上下幅よりも若干大きくなるように構成し、ガイドレール５４ａの内部空洞に摺動体７ａを組み入れる時、摺擦部材７２ａを上下から挟圧して摺擦部材受部７２３ａに対し付勢しながらガイドレール５４ａ内に挿入することができる。また、ガイドレール５４ａの幅方向における摺動体７ａのがたつきの発生を防止するため、図示しないが摺擦部材受部７２３ａの左右両側にも摺擦部材７２ａを設けると共に、ガイドレール５４ａの内部空洞における左右両側の各内面にも摺擦面５４１ａを夫々配設してもよい。
【００４８】
図１９及び図２０に示す摺動体７ａは、前記のような特徴を持つ摺擦部材７２ａを側面視半円形状のものとした実施例であり、前記フレーム７１ａの上部の中央及び下部の前後端に該半円形状の摺擦部材７２ａを夫々設けて構成したものである。これにより、摺擦部材７２ａは前記摺擦面５４１ａにおいてがたつかず、滑らかに移動することが可能となる。尚、この場合も図２１に示すように、前述した回動部７３ａを設けている。
【００４９】
また、前記摺動体７ａの前記フレーム７１ａの左右両端に、押接滑動部材７４ａを夫々配設することができる。該押接滑動部材７４ａは、前記ガイドレール５４ａの内部空洞における幅方向左右の各内面に対し、各外側へ付勢するような形態で常時押接しながらガイドレール５４ａの該内面を滑動するためのものであり、各押接滑動部材７４ａは、ガイドレール５４ａの該内面に当接する当接体７４１ａと、該当接体７４１ａを該内面側に付勢するためのバネ７４２ａから構成している。
【００５０】
尚、前記押接滑動部材７４ａの他の実施例として、図２２に示すように、前記ガイドレール５４ａの内部空洞における幅方向左右の各内面に当接しながら回転する回転輪７４３ａを夫々設けてもよい。
【００５１】
このように、前記押接滑動部材７４ａを設けることにより、前記ガイドレール５４ａの幅方向における前記摺動体７ａのがたつきの発生を可及的に防止することができる。
【００５２】
前記摺擦部材７２ａ及び前記摺擦面５４１ａにおける摺擦による摩耗に関わらず、前記摺擦部材７２ａが前記摺擦面５４１ａに対して一定の付勢力を維持することにより、前記ガイドレール５４ａの内部における摺動体７ａのがたつきを半永久的に抑制するために、図２３に示すように構成することができる。すなわち、少なくとも一つの摺擦部材７２ａを前記フレーム７１ａにおいて回動部７２１ａを介して回動自在に連結すると共に、該摺擦部材７２ａと該フレーム７１ａとの間に介設したバネ７２２ａの付勢力により該摺擦部材７２ａをガイドレール５４ａの摺擦面５４１ａに押し当てるようにしている。尚、図面の場合は、回動部７２１ａを設けた摺擦部材７２ａをフレーム７１ａの中央上側に設けたものを示している。
【００５３】
前記摺擦面５４１ａに押し当てるような構成の前記摺擦部材７２ａと置き換えて、図２９及び図３０に示すような回転輪７４３ａを適用することも可能である。
【００５４】
すなわち、前記垂下フレーム５３ａの下端部に、スライド溝５３１ａを該フレーム７１ａの長さ方向に沿って設けており、該スライド溝５３１ａに沿って前記回転輪７４３ａが移動可能となるようにすると共に、内設したバネ７２２ａの付勢力により回転輪７４３ａを前記ガイドレール５４ａの前記摺擦面５４１ａに常時押し当てるよう構成している。これにより、摺動体７ａのがたつきを半永久的に抑制することができる。尚、この場合も図３１に示すように、前述した回動部７３ａを設けている。
【００５５】
このような構成の摺動体７ａを採用することにより、一時的に前記摺擦部材７２ａによる摩擦抵抗を伴う摺動を解除して、前記回転輪７４３ａのみによる摩擦抵抗を可及的に軽減した回転移動による前記可動肘掛部５０２ａのスムーズな移動が実現できるのである。すなわち、使用者は可動肘掛部５０２ａの前側を上方へ持ち上げると、図３２に示すように前記垂下フレーム５３ａが上方へ持ち上がり、これに伴って回転輪７４３ａが前記ガイドレール５４ａ内上側の前記摺擦面５４１ａに強く押し当てられて前記バネ７２２ａが収縮すると共に、回転輪７４３ａが垂下フレーム５３ａの前記スライド溝５３１ａに沿って下方へ移動することになり、これによって摺擦部材７２ａはガイドレール５４ａ内下側の摺擦面５４１ａから離脱し、回転輪７４３ａのみが摺擦面５４１ａに当接した状態となる。
【００５６】
前述した摺動体７ａは、前記回転輪７４３ａを前記ガイドレール５４ａ内下側の前記摺擦面５４１ａに当接回転させると共に、ガイドレール５４ａ内上側の摺擦面５４１ａ側にのみ前記摺擦部材７２ａを設ける構成であるが、図３３及び図３４に示す構成は、それら回転輪７４３ａと摺擦部材７２ａとの位置構成を上下逆転させたものである。
【００５７】
すなわち、前記垂下フレーム５３ａの下端に前述したような回動部７３ａ介してフレーム７１ａの基端部を回動連結すると共に、該フレーム７１ａの至端部上側に前記ガイドレール５４ａ内上側の前記摺擦面５４１ａにおいて摺擦するよう前記摺擦部材７２ａを設けて構成し、且つ回動部７３ａと摺擦部材７２ａとの中間位置に、ガイドレール５４ａ内下側の摺擦面５４１ａに当接回転するよう前記回転輪７４３ａを設けている。
【００５８】
このように摺動体７ａを構成することによっても、一時的に前記摺擦部材７２ａによる摩擦抵抗を伴う摺動を解除して、前記回転輪７４３ａのみによる摩擦抵抗を可及的に軽減した回転移動による前記可動肘掛部５０２ａのスムーズな移動が実現できる。すなわち、使用者は可動肘掛部５０２ａの前側を上方へ持ち上げると、図３６に示すように前記垂下フレーム５３ａが上方へ持ち上がり、これに伴って摺擦部材７２ａは前記ガイドレール５４ａ内上側の摺擦面５４１ａから離脱し、回転輪７４３ａのみが摺擦面５４１ａに当接した状態となり、この状態で摺動体７ａはガイドレール５４ａ内をスムーズに滑動することが可能となる。次いで、可動肘掛部５０２ａの上方への持ち上げを止めると、自重で垂下フレーム５３ａが下方へ押し下がり、摺擦部材７２ａは再びガイドレール５４ａ内上側の摺擦面５４１ａに押し当てられることになる。
【００５９】
また、使用者が前記可動肘掛部５０２ａを故意に押し下げるか、または可動肘掛部５０２ａ上に手部や腕部を載置して自然な荷重をかけるかなどすると、その分だけ強く前記摺擦部材７２ａは前記摺擦面５４１ａに押し当てられる。よって、ガイドレール５４ａにおける摺動体７ａの摺動を抑止することができ、不意に可動肘掛部５０２ａが動くことがなくなる。特に、可動肘掛部５０２ａ上に手部や腕部を載置して前記腕揉み機構５１ａによる施療を受ける場合は、該可動肘掛部５０２ａが安定静止するので使用者は安心して施療に専念することができるし、また、可動肘掛部５０２ａにより大きな荷重をかけると摺擦部材７２ａが摺擦面５４１ａに対してより強く押し当てられて可動肘掛部５０２ａが固定静止するので、使用者が安心して可動肘掛部５０２ａに体重をかけながら立ち上がったり腰を下ろしたりすることができる。
【００６０】
本発明のマッサージ椅子１ａにおける前記腕揉み機構５１ａは、前述のような膨縮袋４ａを備えて、該膨縮袋４ａの膨縮動作により人体の手部または腕部に対する施療を実施できるよう構成している。すなわち、図１及び図１５に示すように正面視コ字型をなす前記凹部５２ａの内部において、その上下面また適宜側面に各膨縮袋４ａを夫々設け、該凹部５２ａに嵌入した人体の手部または腕部に対する挟圧施療を実施するようにしている。尚、該凹部５２ａの形状として正面視Ｕ字型やＬ字型、また正面視Ｃ字型などがあげられるが、手部または腕部を嵌入保持できる凹部であればこれに限らない。
【００６１】
また、人体の手部または腕部を載置し得る前記可動肘掛部５０２ａの上面は、前記腕揉み機構５１ａの凹部５２ａの底面５２１ａを兼用するものとしている。
【００６２】
さらに、前記可動肘掛部５０２ａの後部と背凭れ部１２ａの側部との枢着位置は、背凭れ部１２ａのリクライニング回動軸１２１ａよりも上位置である構成にしたものとしている。
【００６３】
上記構成ゆえに、図３に示す背凭れ部１２ａが起立状態である場合の腕揉み機構５１ａにおける手部または腕部の姿勢は、図４に示す背凭れ部１２ａが起立状態である場合のその姿勢と略変化はしないので、背凭れ部１２ａのリクライニング角度が変化したとしても、常に腕揉み機構５１ａにおける適正な位置で手部または腕部に対する施療を施すことが可能となるのである。
【００６４】
このような前記肘掛部５ａの後方への移動に伴い、前記摺動体７ａは後方へ摺動する。この時、図３に示すように該摺動体７ａの高さ位置は前記背凭れ部１２ａが起立状態の時よりも低くなり、これと同様、可動肘掛部５０２ａの後端に設けられた後端回動部５５ａの高さ位置も、背凭れ部１２ａの後方へのリクライニングに伴って低くなる。したがって、背凭れ部１２ａに仰臥した使用者の肘掛部５ａに載置した手部または腕部が胴体よりも可及的に高く上がらないようにすることができ、リラックスした状態で腕揉み機構５１ａによる施療を受けることができる。
【００６５】
図５及び図６に示すのは、前記可動肘掛部５０２ａの後部における背凭れ部１２ａの側部との枢着位置に、可動肘掛部５０２ａの位置を前後に位置調節し得るスライド機構５７ａを設けたものである。すなわち、前記後端回動部５５ａを前記可動肘掛部５０２ａの前後方向に沿ってスライド可能となるよう、該可動肘掛部５０２ａに該スライド機構５７ａを設けて構成する。この構成により、肘掛部５ａの前記腕揉み機構５１ａは前記背凭れ部１２ａのリクライニングに関わらず、前後位置を自在に調節することが可能となる。
【００６６】
例えば、前記腕揉み機構５１ａを後方へ位置調節する場合、前記後端回動部５５ａは前記スライド機構５７ａにおいて前方へスライドする形態となり、このスライドに伴って前記摺動体７ａは前記ガイドレール５４ａに沿って後方へ摺動することになる。
【００６７】
尚、前記可動肘掛部５０２ａの移動が、左右両方とも同期するよう、図示しないが左右の前記各可動肘掛部５０２ａに設けられた前記各摺動体７ａをリンク部材で連結することができる。
【００６８】
図７乃至図９に示すのは、前記背凭れ部１２ａの側部における可動肘掛部５０２ａの後部との枢着位置に、可動肘掛部５０２ａの後部位置を上下に位置調節し得るスライド機構１２２ａを設けたものである。すなわち、前記後端回動部５５ａを背凭れ部１２ａの長さ方向においてスライド可能となるよう、該背凭れ部１２ａに該スライド機構１２２ａを設けて構成する。
【００６９】
この構成により、図８に示す前記背凭れ部１２ａが起立状態の場合は、前記腕揉み機構５１ａを背凭れ部１２ａの長さ方向に沿って移動させて、腕揉み機構５１ａの高さや角度を調節することができ、また図９に示す背凭れ部１２ａが倒伏状態の場合は、腕揉み機構５１ａの前後位置や角度を調節することができるようにしている。
【００７０】
前述したような前記背凭れ部１２ａに設けたスライド機構１２２ａと前記肘掛部５ａに設けた前記スライド機構５７ａと併用する場合は、前記腕揉み機構５１ａの前後位置や高さ位置、また角度における調節範囲及び手部や腕部に対する施療範囲がさらに拡大することになる。
【００７１】
図１０及び図１３に示す構成は、前記ガイドレール５４ａを前述のものよりも長く形成して前記摺動体７ａの移動範囲を拡大することにより、前記背凭れ部１２ａを起立させた状態であっても、手部から前腕部、肘部、上腕部までの広範な施療部位を施療することができるものである。
【００７２】
例えば、前記腕揉み機構５１ａに最前端に位置する状態から後方へ移動させるための力を加えると、前記後端回動部５５ａは前記可動肘掛部５０２ａの前記スライド機構５７ａにおける最前端まで移動する。その後、さらに腕揉み機構５１ａに後方へ力を加えると、今度は前記背凭れ部１２ａの前記スライド機構１２２ａに沿って後端回動部５５ａは上方へ移動することになる。このようにして腕揉み機構５１ａは、背凭れ部１２ａが起立状態の場合に着座した使用者の腕部の態様が屈曲したものであっても、手部から前腕部、また肘部から上腕部まで、肢体のラインに沿って移動することができる。尚、可動肘掛部５０２ａや腕揉み機構５１ａが背凭れ部１２ａの前記側壁部２ａと干渉のないよう構成したり、または該側壁部２ａを設けない構成にしたりすることにより、腕揉み機構５１ａが使用者の肩部まで到達するよう背凭れ部１２ａのスライド機構１２２ａを長く設けることができる。
【００７３】
尚、図１１に示すように前記ガイドレール５４ａを長く形成する構成の他に、前記肘掛部５ａの前側下部に設けた前記垂下フレーム５３ａを伸縮可能にすることによっても、前記腕揉み機構５１ａの移動範囲をさらに拡大させることができる。
【００７４】
前記可動肘掛部５０２ａの前記スライド機構５７ａや前記背凭れ部１２ａのスライド機構１２２ａのスライド、及び前記摺動体７ａの摺動において、段階または無段階に、手動或いはモータなどの自動で調節できるようにしてもよい。例えばそのような位置調節を段階的に行う構成として、ラチェット機構などを適用することができる。尚、手動の場合は油圧シリンダを、電動の場合は電動アクチュエータを介装できる。さらには、センサーによる使用者の手腕の長さを検知して自動調節するよう構成してもよい。
【００７５】
尚、上記の本発明におけるマッサージ椅子１ａは、前記スライド機構５７ａまたはスライド機構１２２ａを設けるものであっても、該腕揉み機構５１ａを背凭れ部１２ａのリクライニング動作に追従するよう構成されている。
【００７６】
図１４乃至図１６及び図１８に示す構成は、前記可動肘掛部５０２ａと前記起立壁５０１ａとの間、または可動肘掛部５０２ａと前記基体５６ａとの間、或いは可動肘掛部５０２ａと前記座部１１ａとの間に、人体の一部が挟み込まれて痛みや怪我をもたらさないよう防止するための挟み込み防止部材５８ａを可動肘掛部５０２ａの幅方向内側に設けたものである。
【００７７】
図面に示すように、前記挟み込み防止部材５８ａとして前記可動肘掛部５０２ａと前記起立壁５０１ａとの間に存する空間を遮蔽することができる板状の形態のものを採用することができる。
【００７８】
よって、図１６に示すように前記可動肘掛部５０２ａの前記起立壁５０１ａに対する上下動作に関わらず、常時、前記挟み込み防止部材５８ａによる遮蔽がなされ、人体の一部を挟み込む要因を除去することができる。
【００７９】
図１７に示す構成は、前記挟み込み防止部材５８ａを前記可動肘掛部５０２ａの幅方向外側にも設けたものである。これにより、前記座部１１ａに着座した使用者だけでなく外部から接近してくる人も、可動肘掛部５０２ａの動作により挟み込むことがないよう保護することができる。
【００８０】
上記において説明した本発明のマッサージ椅子１ａは、図３６及び図３７に示すように、摺動体７ａに可動肘掛部５０２ａの位置を固定し得る固定手段６ａ（ロック機構）を設けている。
【００８１】
すなわち、前記固定手段６ａ（ロック機構）は、前記摺動体７ａに設けて前記回動部７３ａを同軸として回動するシーソー部材６４ａの一側に設けたラック６１ａと、前記ガイドレール５４ａの内部においてその長さ方向に設けられたラック６１ａとの噛み合わせにより、ガイドレール５４ａの内部の摺動体７ａを固定するようにしている。
【００８２】
また、前記各ラック６１ａの相互噛合及び噛合解除を制御するために、ロッド６３１ａを設け、該ロッド６３１ａの先端部は前記シーソー部材６４ａに設けた前記ラック６１ａの側とは前記回動部７３ａを挟んで反対側となる該シーソー部材６４ａの端部に回動可能に連結されて構成している。
【００８３】
よって、図３８に示すように前記ロッド６３１ａを下方へ押し下げると、前記シーソー部材６４ａは前記回動部７３ａを同軸として回動することにより、噛合状態の前記各ラック６１ａの噛合は解除されて、前記摺動体７ａは前記ガイドレール５４ａ内を摺動移動可能となる。逆にロッド６３１ａを上方へ引き上げると、再び各ラック６１ａは噛合状態となり、ガイドレール５４ａ内で摺動体７ａは固定される。
【００８４】
尚、前記ロッド６３１ａの上げ下げを、図３９に示すように前記可動肘掛部５０２ａの前側上面に設けた操作レバー６３ａによって行うことができる。
【００８５】
前記固定手段６ａ（ロック機構）は、上記したように構成されているため、前記腕揉み機構５１ａの位置調節の際、使用者が所望する位置において該腕揉み機構５１ａを前記背凭れ部１２ａの起倒に影響されず、確実に固定することができるのである。尚、固定手段６ａの固定を解除することにより、前述で説明したように前記背凭れ部１２ａの起倒動作に腕揉み機構５１ａが連動する。
【００８６】
図２４に示す本発明における構成は、前記肘掛部５ａに設けた前記スライド機構５７ａに、該スライド機構５７ａによる前記腕揉み機構５１ａの位置調節後の位置固定を行うための固定手段６ａ（ロック機構）を設けたものである。すなわち該固定手段６ａ（ロック機構）として、ラック６１ａを該スライド機構５７ａに備えると共に、前記後端回動部５５ａに連結する係合ピン６２ａを該ラック６１ａに係合するよう構成している。
【００８７】
前記スライド機構５７ａの前記ラック６１ａに対する前記係合ピン６２ａの係合または解除は、前記可動肘掛部５０２ａの後端部を上下に押し引きするなどしてなされるよう構成できる。例えば、図２５に示すように、可動肘掛部５０２ａの後端部を引き上げると、係合ピン６２ａのラック６１ａにおける係合が解除され、次いで図２６に示すように前記腕揉み機構５１ａが適正位置になるよう位置調節を行い、その後、図２７に示すように、可動肘掛部５０２ａの後端部を押し下げるか、または荷重をかけるかすることにより、再び係合ピン６２ａはラック６１ａに係合し、腕揉み機構５１ａの位置が固定されるのである。
【００８８】
図２７に示す構成は、前記背凭れ部１２ａに設けた前記スライド機構１２２ａに、該スライド機構１２２ａによる前記腕揉み機構５１ａの位置調節後の位置固定を行うための固定手段６ａ（ロック機構）を設けたものである。すなわち該固定手段６ａ（ロック機構）として、ラック６１ａを該スライド機構１２２ａに備えると共に、前記後端回動部５５ａに連結する係合ピン６２ａを該ラック６１ａに係合するよう構成している。
【００８９】
前記スライド機構１２２ａにおける前記係合ピン６２ａの前記ラック６１ａに対する係合または解除、また該解除時における前記腕揉み機構５１ａの位置調節は、前述した前記肘掛部５ａに設けた前記スライド機構５７ａにおける前記固定手段６ａ（ロック機構）と同様であり、前記可動肘掛部５０２ａの後端部を上下に押し引きするなどして係合ピン６２ａの係合または解除がなされるものであり、前記腕揉み機構５１ａの位置調節後、可動肘掛部５０２ａの後端部を押し下げるか、または荷重をかけるかをすることにより、係合ピン６２ａはラック６１ａに係合して腕揉み機構５１ａの位置が固定されるのである。
【図面の簡単な説明】
【００９０】
【図１】本発明のマッサージ椅子の一実施形態を示す斜視図である。
【図２】本発明のマッサージ椅子の一実施形態を示す使用状態図である。
【図３】本発明のマッサージ椅子における背凭れ部と脚載部及び肘掛部の各動作に関する一実施形態を示す使用状態の右側面参考図である。
【図４】本発明のマッサージ椅子の背凭れ部を後方へ倒伏させた一実施形態を示す使用状態の右側面参考図である。
【図５】本発明のマッサージ椅子の肘掛部にスライド機構を備えた一実施形態を示す右側面参考図である。
【図６】本発明のマッサージ椅子における肘掛部のスライド機構による腕揉み機構の前後スライド動作に関する一実施形態を示す使用状態の右側面参考図である。
【図７】本発明のマッサージ椅子の背凭れ部にスライド機構を備えた一実施形態を示す右側面参考図である。
【図８】本発明のマッサージ椅子における背凭れ部のスライド機構による腕揉み機構の上下スライド動作に関する一実施形態を示す使用状態の右側面参考図である。
【図９】本発明のマッサージ椅子の背凭れ部を倒伏させた状態での腕揉み機構のスライド動作に関する一実施形態を示す使用状態の右側面参考図である。
【図１０】本発明のマッサージ椅子の腕揉み機構における手部から上腕までの施療範囲に関する一実施形態を示す使用状態の右側面参考図である。
【図１１】本発明のマッサージ椅子における起立壁に設けたガイドレールを長く形成した一実施形態を示す使用状態の右側面参考図である。
【図１２】本発明のマッサージ椅子における背凭れ部と肘掛部の各動作に関する一実施形態を示す右側面参考部分図である。
【図１３】本発明のマッサージ椅子における肘掛部の動作に関する一実施形態を示す右側面参考部分図である。
【図１４】本発明のマッサージ椅子に挟み込み防止部材を設けた一実施形態を示す右側面参考部分図である。
【図１５】本発明のマッサージ椅子に挟み込み防止部材を設けた一実施形態を示す正面参考部分図である。
【図１６】本発明のマッサージ椅子に挟み込み防止部材を設けた一実施形態を示す正面参考部分図である。
【図１７】本発明のマッサージ椅子に挟み込み防止部材を設けた一実施形態を示す正面参考部分図である。
【図１８】本発明のマッサージ椅子のガイドレール内部における摺動体を球形状とした一実施形態を示す右側面部分断面参考図である。
【図１９】本発明のマッサージ椅子のガイドレール内部における摺動体を半円筒形状とした一実施形態を示す正面部分断面参考図である。
【図２０】本発明のマッサージ椅子のガイドレール内部における摺動体を半円筒形状とした一実施形態を示す右側面部分断面参考図である。
【図２１】本発明のマッサージ椅子のガイドレール内部における摺動体を半円筒形状とした一実施形態を示す右側面部分断面参考図である。
【図２２】本発明のマッサージ椅子のガイドレール内部における摺動体の付勢させた摺擦部材を採用した一実施形態を示す正面部分断面参考図である。
【図２３】本発明のマッサージ椅子のガイドレール内部における摺動体の付勢させた摺擦部材を採用した一実施形態を示す右側面部分断面参考図である。
【図２４】本発明のマッサージ椅子における肘掛部のスライド機構に固定手段を設けた一実施形態を示す右側面参考部分図である。
【図２５】本発明のマッサージ椅子における肘掛部のスライド機構に固定手段を設けた一実施形態を示す右側面参考部分図である。
【図２６】本発明のマッサージ椅子における肘掛部のスライド機構に固定手段を設けた一実施形態を示す右側面参考部分図である。
【図２７】本発明のマッサージ椅子における肘掛部のスライド機構に固定手段を設けた一実施形態を示す右側面参考部分図である。
【図２８】本発明のマッサージ椅子における背凭れ部のスライド機構に固定手段を設けた一実施形態を示す右側面参考部分図である。
【図２９】本発明のマッサージ椅子のガイドレール内部における摺動体に設けた一つの摺擦部材を回転輪に置換した一実施形態を示す正面部分断面参考図である。
【図３０】本発明のマッサージ椅子のガイドレール内部における摺動体に設けた一つの摺擦部材を回転輪に置換した一実施形態を示す右側面部分断面参考図である。
【図３１】本発明のマッサージ椅子のガイドレール内部における摺動体に設けた一つの摺擦部材を回転輪に置換した一実施形態を示す右側面部分断面参考図である。
【図３２】本発明のマッサージ椅子のガイドレール内部における摺動体に設けた一つの摺擦部材を回転輪に置換した一実施形態を示す右側面部分断面参考図である。
【図３３】本発明のマッサージ椅子のガイドレール内部における摺動体に設けた摺擦部材と回転輪とを夫々上側と下側に配設した構成の一実施形態を示す正面部分断面参考図である。
【図３４】本発明のマッサージ椅子のガイドレール内部における摺動体に設けた摺擦部材と回転輪とを夫々上側と下側に配設した構成の一実施形態を示す右側面部分断面参考図である。
【図３５】本発明のマッサージ椅子のガイドレール内部における摺動体に設けた摺擦部材と回転輪とを夫々上側と下側に配設した構成の一実施形態を示す右側面部分断面参考図である。
【図３６】本発明のマッサージ椅子のガイドレール内部における摺動体に固定手段（ロック機構）を設けた一実施形態を示す正面部分断面参考図である。
【図３７】本発明のマッサージ椅子のガイドレール内部における摺動体に固定手段（ロック機構）を設けた一実施形態を示す右側面部分断面参考図である。
【図３８】本発明のマッサージ椅子のガイドレール内部における摺動体に固定手段（ロック機構）を設けた一実施形態を示す右側面部分断面参考図である。
【図３９】本発明のマッサージ椅子の摺動体に設けた固定手段（ロック機構）をロックまたはロック解除するために可動肘掛部に操作レバーを設けた一実施形態を示す右側面参考部分図である。
【図４０】従来技術を示す参考図である。
【符号の説明】
【００９１】
１ａ  マッサージ椅子
１０ａ  椅子本体
１１ａ  座部
１２ａ  背凭れ部
１２１ａ  リクライニング回動軸
１２２ａ  スライド機構
１３ａ  脚載部
１３１ａ  脛施療部
１３２ａ  足先施療部
２ａ  側壁部
３ａ  施療子機構部
３１ａ  施療子
３２ａ  ガイドレール
４ａ  膨縮袋
４１ａ  空気給排装置
５ａ  肘掛部
５０１ａ  起立壁
５０２ａ  可動肘掛部
５０３ａ  上面
５１ａ  腕揉み機構
５２ａ  凹部
５２１ａ  底面
５３ａ  垂下フレーム
５３１ａ  スライド溝
５４ａ  ガイドレール
５４１ａ  摺擦面
５４２ａ  開口部
５５ａ  後端回動部
５６ａ  基体
５７ａ  スライド機構
５８ａ  挟み込み防止部材
６ａ  固定手段（ロック機構）
６１ａ  ラック
６２ａ  係合ピン
６３ａ  操作レバー
６３１ａ  ロッド
６４ａ  シーソー部材
７ａ  摺動体
７１ａ  フレーム
７１１ａ  分割フレーム
７２ａ  摺擦部材
７２１ａ  回動部
７２２ａ  バネ
７２３ａ  摺擦部材受部
７２４ａ  嵌合溝
７３ａ  回動部
７４ａ  押接滑動部材
７４１ａ  当接体
７４２ａ  バネ
７４３ａ  回転輪                                                       
【図１】
2008188055.tif 000003
【図２】
2008188055.tif 000004
【図３】
2008188055.tif 000005
【図４】
2008188055.tif 000006
【図５】
2008188055.tif 000007
【図６】
2008188055.tif 000008
【図７】
2008188055.tif 000009
【図８】
2008188055.tif 000010
【図９】
2008188055.tif 000011
【図１０】
2008188055.tif 000012
【図１１】
2008188055.tif 000013
【図１２】
2008188055.tif 000014
【図１３】
2008188055.tif 000015
【図１４】
2008188055.tif 000016
【図１５】
2008188055.tif 000017
【図１６】
2008188055.tif 000018
【図１７】
2008188055.tif 000019
【図１８】
2008188055.tif 000020
【図１９】
2008188055.tif 000021
【図２０】
2008188055.tif 000022
【図２１】
2008188055.tif 000023
【図２２】
2008188055.tif 000024
【図２３】
2008188055.tif 000025
【図２４】
2008188055.tif 000026
【図２５】
2008188055.tif 000027
【図２６】
2008188055.tif 000028
【図２７】
2008188055.tif 000029
【図２８】
2008188055.tif 000030
【図２９】
2008188055.tif 000031
【図３０】
2008188055.tif 000032
【図３１】
2008188055.tif 000033
【図３２】
2008188055.tif 000034
【図３３】
2008188055.tif 000035
【図３４】
2008188055.tif 000036
【図３５】
2008188055.tif 000037
【図３６】
2008188055.tif 000038
【図３７】
2008188055.tif 000039
【図３８】
2008188055.tif 000040
【図３９】
2008188055.tif 000041
【図４０】
2008188055.tif 000042